【手続補正書】
【提出日】平成21年2月24日(2009.2.24)
【手続補正１】
【補正対象書類名】特許請求の範囲
【補正対象項目名】全文
【補正方法】変更
【補正の内容】
【特許請求の範囲】
【請求項１】
フレーム毎に画像データが符号化された符号化画像データを復号する画像復号化装置であって、
フレーム毎に、前記符号化画像データを復号することで前記画像データを生成する生成手段と、
前記画像データに含まれており、且つフレーム中における位置及び輝度が少なくとも一定期間固定的である部分画像データが、現フレームの前に位置する前フレーム中に含まれているか否かを判定する第１判定手段と、
前記前フレームにおける前記部分画像データの輝度値と前記現フレームにおける前記部分画像データの輝度値との差分である第１差分及び前記前フレームにおける前記部分画像データを除く前記画像データの一部の輝度値と前記現フレームにおける前記部分画像データを除く前記画像データの一部の輝度値との差分である第２差分の少なくとも一方が、所定の閾値以上であるか否かを判定する第２判定手段と、
前記現フレームにおける前記画像データに対して、前記第１判定手段及び前記第２判定手段の夫々による判定結果に応じた補間処理を施す補間手段と、
を備えることを特徴とする画像復号化装置。
【請求項２】
前記補間手段は、前記第１判定手段により前記部分画像データが前記前フレーム中に含まれていると判定され、且つ前記第２判定手段により前記第１差分が前記閾値以上であると判定された場合、前記現フレームの前記画像データの全体に対して前記現フレームにおける前記画像データを用いて補間処理を施すことを特徴とする請求項１に記載の画像復号化装置。
【請求項３】
前記補間手段は、前記第１判定手段により前記部分画像データが前記前フレーム中に含まれていると判定され、且つ前記第２判定手段により前記第１差分が前記閾値以上でないと判定された場合、前記現フレームにおける前記部分画像データに対して前記前フレームにおける前記部分画像データを用いて補間処理を施すことを特徴とする請求項２に記載の画像復号化装置。
【請求項４】
前記補間手段は、前記第１判定手段により前記部分画像データが前記前フレーム中に含まれていると判定され、且つ前記第２判定手段により前記第１差分が前記閾値以上でなく前記第２差分が前記閾値以上であると判定された場合、前記現フレームにおける前記部分画像データを除く前記画像データの一部に対して、前記現フレームにおける前記画像データを用いて補間処理を施すことを特徴とする請求項３に記載の画像復号化装置。
【請求項５】
前記第２判定手段は、前記前フレームにおける前記画像データの輝度値と前記現フレームにおける前記画像データの輝度値との差分である第３差分が、前記閾値以上であるか否かを更に判定し、
前記補間手段は、前記第１判定手段により前記部分画像データが前記前フレーム中に含まれていないと判定され、且つ前記第２判定手段により前記第３差分が前記閾値以上であると判定された場合、前記現フレームの前記画像データの全体に対して前記現フレームにおける前記画像データを用いて補間処理を施すことを特徴とする請求項１に記載の画像復号化装置。
【請求項６】
前記部分画像データは、フレームの端部に位置する画像を示すことを特徴とする請求項５に記載の画像復号化装置。
【請求項７】
フレーム毎に画像データが符号化された符号化画像データを復号する復号化方法であって、
フレーム毎に、前記符号化画像データを復号することで前記画像データを生成する生成工程と、
前記画像データに含まれており、且つフレーム中における位置及び輝度が少なくとも一定期間固定的である部分画像データが、現フレームの前に位置する前フレーム中に含まれているか否かを判定する第１判定工程と、
前記前フレームにおける前記部分画像データの輝度値と前記現フレームにおける前記部分画像データの輝度値との差分である第１差分及び前記前フレームにおける前記部分画像データを除く前記画像データの一部の輝度値と前記現フレームにおける前記部分画像データを除く前記画像データの一部の輝度値との差分である第２差分の少なくとも一方が、所定の閾値以上であるか否かを判定する第２判定工程と、
前記現フレームにおける前記画像データに対して、前記第１判定工程及び前記第２判定工程の夫々による判定結果に応じた補間処理を施す補間工程と
を備えることを特徴とする画像復号化方法。
【請求項８】
フレーム毎に画像データが符号化された符号化画像データを復号する画像復号化装置であって、フレーム毎に、前記符号化画像データを復号することで前記画像データを生成する生成手段と、前記画像データに含まれており、且つフレーム中における位置及び輝度が少なくとも一定期間固定的である部分画像データが、現フレームの前に位置する前フレーム中に含まれているか否かを判定する第１判定手段と、前記前フレームにおける前記部分画像データの輝度値と前記現フレームにおける前記部分画像データの輝度値との差分である第１差分及び前記前フレームにおける前記部分画像データを除く前記画像データの一部の輝度値と前記現フレームにおける前記部分画像データを除く前記画像データの一部の輝度値との差分である第２差分の少なくとも一方が、所定の閾値以上であるか否かを判定す
る第２判定手段と、前記現フレームにおける前記画像データに対して、前記第１判定手段及び前記第２判定手段の夫々による判定結果に応じた補間処理を施す補間手段とを備える画像復号化装置に備えられたコンピュータを制御するコンピュータプログラムであって、
前記コンピュータを、前記生成手段、前記第１判定手段、前記第２判定手段、前記補間手段及び前記制御手段のうち少なくとも一部として機能させることを特徴とするコンピュータプログラム。
【手続補正２】
【補正対象書類名】明細書
【補正対象項目名】０００９
【補正方法】変更
【補正の内容】
【０００９】
上記課題を解決するために、請求項１に記載の画像復号化装置は、フレーム毎に画像データが符号化された符号化画像データを復号する画像復号化装置であって、フレーム毎に、前記符号化画像データを復号することで前記画像データを生成する生成手段と、前記画像データに含まれており、且つフレーム中における位置及び輝度が少なくとも一定期間固定的である部分画像データが、現フレームの前に位置する前フレーム中に含まれているか否かを判定する第１判定手段と、前記前フレームにおける前記部分画像データの輝度値と前記現フレームにおける前記部分画像データの輝度値との差分である第１差分及び前記前フレームにおける前記部分画像データを除く前記画像データの一部の輝度値と前記現フレームにおける前記部分画像データを除く前記画像データの一部の輝度値との差分である第２差分の少なくとも一方が、所定の閾値以上であるか否かを判定する第２判定手段と、前記現フレームにおける前記画像データに対して、前記第１判定手段及び前記第２判定手段の夫々による判定結果に応じた補間処理を施す補間手段とを備える。
【手続補正３】
【補正対象書類名】明細書
【補正対象項目名】００１０
【補正方法】変更
【補正の内容】
【００１０】
上記課題を解決するために、請求項７に記載の画像復号化方法は、フレーム毎に画像データが符号化された符号化画像データを復号する復号化方法であって、フレーム毎に、前記符号化画像データを復号することで前記画像データを生成する生成工程と、前記画像データに含まれており、且つフレーム中における位置及び輝度が少なくとも一定期間固定的である部分画像データが、現フレームの前に位置する前フレーム中に含まれているか否かを判定する第１判定工程と、前記前フレームにおける前記部分画像データの輝度値と前記現フレームにおける前記部分画像データの輝度値との差分である第１差分及び前記前フレームにおける前記部分画像データを除く前記画像データの一部の輝度値と前記現フレームにおける前記部分画像データを除く前記画像データの一部の輝度値との差分である第２差分の少なくとも一方が、所定の閾値以上であるか否かを判定する第２判定工程と、前記現フレームにおける前記画像データに対して、前記第１判定工程及び前記第２判定工程の夫々による判定結果に応じた補間処理を施す補間工程とを備える。
【手続補正４】
【補正対象書類名】明細書
【補正対象項目名】００１１
【補正方法】変更
【補正の内容】
【００１１】
上記課題を解決するために、請求項８に記載のコンピュータプログラムによれば、フレーム毎に画像データが符号化された符号化画像データを復号する画像復号化装置であって、フレーム毎に、前記符号化画像データを復号することで前記画像データを生成する生成手段と、前記画像データに含まれており、且つフレーム中における位置及び輝度が少なくとも一定期間固定的である部分画像データが、現フレームの前に位置する前フレーム中に含まれているか否かを判定する第１判定手段と、前記前フレームにおける前記部分画像データの輝度値と前記現フレームにおける前記部分画像データの輝度値との差分である第１差分及び前記前フレームにおける前記部分画像データを除く前記画像データの一部の輝度値と前記現フレームにおける前記部分画像データを除く前記画像データの一部の輝度値との差分である第２差分の少なくとも一方が、所定の閾値以上であるか否かを判定す
る第２判定手段と、前記現フレームにおける前記画像データに対して、前記第１判定手段及び前記第２判定手段の夫々による判定結果に応じた補間処理を施す補間手段とを備える画像復号化装置に備えられたコンピュータを制御するコンピュータプログラムであって、前記コンピュータを、前記生成手段、前記第１判定手段、前記第２判定手段、前記補間手段及び前記制御手段のうち少なくとも一部として機能させる。
【手続補正５】
【補正対象書類名】明細書
【補正対象項目名】００１４
【補正方法】変更
【補正の内容】
【００１４】
（画像復号化装置の実施形態）
本発明の画像復号化装置に係る実施形態は、フレーム毎に画像データが符号化された符号化画像データを復号する画像復号化装置であって、フレーム毎に、前記符号化画像データを復号することで前記画像データを生成する生成手段と、前記画像データに含まれており、且つフレーム中における位置及び輝度が少なくとも一定期間固定的である部分画像データが、現フレームの前に位置する前フレーム中に含まれているか否かを判定する第１判定手段と、前記前フレームにおける前記部分画像データの輝度値と前記現フレームにおける前記部分画像データの輝度値との差分である第１差分及び前記前フレームにおける前記部分画像データを除く前記画像データの一部の輝度値と前記現フレームにおける前記部分画像データを除く前記画像データの一部の輝度値との差分である第２差分の少なくとも一方が、所定の閾値以上であるか否かを判定する第２判定手段と、前記現フレームにおける前記画像データに対して、前記第１判定手段及び前記第２判定手段の夫々による判定結果に応じた補間処理を施す補間手段とを備える。